(57)【要約】  受信目的のため相関フィルタのフィルタ出力において最適に圧縮された狭いパルスピークを達成するため、２進符号の自己相関関数の、干渉する次極大はできるだけ小さくなければならない。この発明は、受信フィルタにおける評価によって、受取られるシーケンスから、関連付けられる相補的信号符号を発生するよう用いられる、特別に設計された信号符号を用いる。後に続く、受取られた信号符号および相補的信号符号の自己相関関数の並列形成は、反対の数学的符号を有する次極大を示し、したがって、フィルタ出力における加算中において０に等しい次極大を有する所望される完全なパルスピークをもたらす結果となる。
2008537376.tif 000002
【特許請求の範囲】
【請求項１】
サブパルスのための最適なフィルタを備える回路構成であって、Ｄ／Ａ変換器（２）と、第１のシフトレジスタ（３）と、第１の下流自己相関フィルタ（４）とを含み、前記回路構成は、＋１，＋１，＋１，−１，−１，−１，＋１，−１（１）という形式、またはそれから対称法
【数１】
2008537376.tif 000012
により導き出される１つの符号、または時間反転により発生される符号、または交互する数学的符号を伴う重み付けによる重複される符号、または前記符号を連続して置くことにより重複される符号の搬送周波数伝送信号のための信号符号の使用に対して適合され、それらはそれぞれ対称条件
【数２】
2008537376.tif 000013
を満たし、
前記回路構成は信号をある点（５）において分岐し、それを交互する数学的符号（６）で乗算し、それは第２のシフトレジスタ（７）および第２の下流自己相関フィルタ（８）に入り；
フィルタ部（９）における前記第２の自己相関フィルタ（８）および前記第１の下流自己相関フィルタ（４）の出力を加算し、前記回路構成は受取られる元の符号（１）の相補的符号が受信フィルタにおいて形成されるよう適合される、回路構成。
【請求項２】
サブパルスのための最適なフィルタを備える回路構成であって、Ｄ／Ａ変換器（２）と、第１のシフトレジスタ（３）と、第１の下流自己相関フィルタ（４）とを含み、前記回路構成は、＋１，＋１という形式、またはそれから対称法
【数３】
2008537376.tif 000014
により導き出される１つの符号、または時間反転により発生される符号、または交互する数学的符号を伴う重み付けによる重複される符号、または前記符号を連続して置くことにより重複される符号、または直交成分を加算することにより発生される符号の搬送周波数伝送信号のための信号符号の使用に対して適合され、それらはそれぞれ対称条件
【数４】
2008537376.tif 000015
を満たし、
前記回路構成は信号をある点（５）において分岐し、それを交互する数学的符号（６）で乗算し、それは第２のシフトレジスタ（７）および第２の下流自己相関フィルタ（８）に入り；
フィルタ部（９）における前記第２の自己相関フィルタ（８）および前記第１の下流自己相関フィルタ（４）の出力を加算し、前記回路構成は受取られる元の符号（１）の相補的符号が受信フィルタにおいて形成されるよう適合される、回路構成。
【請求項３】
前記回路構成は、受取られた元の符号（１）の相補的符号が受信フィルタにおいて交互
する数学的符号で重み付けされることにより形成される態様で適合され、前記形成は、受取られた元の符号（１）および受信フィルタにおいて構築された相補的符号の自己相関関数の和によって主極大がフィルタ出力において極大高さで築かれ、次極大はそれら自身を反対のフェージングまたは数学的符号の結果同じ和によって相殺する態様で行なわれる、請求項１または２に記載の回路構成。
【請求項４】
請求項１または２に従う対称法により導き出される異なる符号に対して適合される相関フィルタであって、先行する請求項のうちの１つに従う回路構成が並列して受信フィルタとして異なる符号（１）の各々ごとに接続され、請求項１または２に従って構築された異なる信号符号（１）の相互相関関数はフィルタ出力において相殺し、相互相関フィルタはそれぞれの符号（１）を通過させるに過ぎず、それはフィルタにセットされる、相関フィルタ。
【請求項５】
受信フィルタにおいてパルス成形される信号を形成するための方法であって、
＋１，＋１という形式、またはそれから対称法
【数５】
2008537376.tif 000016
により導き出される符号、または時間反転により発生される符号、または交互する数学的符号を伴う重み付けにより重複される符号、または上述の符号を連続して置くことにより重複される符号、または直交成分を加算することにより発生される符号の搬送周波数信号を伴う信号符号を受取るステップを含み、それはそれぞれ対称条件
【数６】
2008537376.tif 000017
を満たし、前記方法はさらに、
受取られた信号を分岐するステップと、
分岐された、受取られた信号を、相補的符号を形成するための交互する数学的符号で乗算するステップと、
受取られた信号の第１の自己相関を形成するステップと、
交互する数学的符号で乗算された、分岐された、受取られた信号の第１の自己相関を形成するステップと、
第１および第２の自己相関の結果を加算するステップとを含む、方法。
【請求項６】
受信フィルタにおいて形成される、第１の自己相関と第２の自己相関との和により、主極大がフィルタ出力において極大高さとともに生ずる結果となり、次極大は反対のフェージングまたは数学的符号の結果同じ和により互いを相殺する、請求項５に記載の方法。
【請求項７】
請求項５または６に従う方法を用いる伝送システム。
【請求項８】
前記伝送システムは、請求項５の指示に従って形成される、この発明に従って形成される２つの符号が伝送のために用いられるよう適合され、次極大は前記２つの符号の相互相関においては現れない、請求項７に記載の伝送システム。
【請求項９】
前記２つの符号の相互相関は０である、請求項８に記載の伝送システム。
【請求項１０】
前記伝送システムは、この発明に従って請求項５に従って形成されるシーケンスから形成される、複素数値を伴うシーケンスを用いることにより複数加入者システムとして用い
られることに対して適合される、請求項７〜９の１つに記載の伝送システム。
【発明の詳細な説明】
【技術分野】
【０００１】
発明の分野
この発明は、下流の符号化されたデジタルフィルタで、送られ受取られる２進信号の自己相関関数を形成するデジタルフィルタによって、特別に設計された２進符号化された信号を受取るための回路構成および方法に向けられるものであり、それによって、パルス信号形式の、狭いパルスピークへの圧縮に至り、したがって、ノイズからの検出またはノイズ信号に関する検出をそれぞれ改善し、低減された漏話を可能にする回路構成および方法に向けられるものである。
【背景技術】
【０００２】
現在の技術
ノイズからの理論的に最適な検出のために、および分解能と精度とを改善するために、および／または同期目的のために特別な信号形式を用いる相関フィルタが、長い間信号処理およびデータ伝送において知られてきた。連続的な変調（線形、二次、対数、周波数変調）および離散的な変調（ＰＳＫ、位相偏移変調２進および多相）は信号形式として選択されてきた。たとえばW.S. Burdic, Radar Signal Analysis（レーダ信号解析）, Prentice Hall, １９６８年、１９３頁以降を参照されたい。
【０００３】
すべての方法にとって、相関フィルタにおいて、信号を受信すると（ノイズまたは他の伝送エラーがない考慮）、自己相関関数（ＡＫＦ）が、フィルタのパルス応答−これは（数学的符号を除く）送られる信号に対応する−と受取られる信号との間に形成されることは、一般的である。
【０００４】
さらに、２進符号化された信号を用いる際、相関フィルタは非常に単純になることも公知である。２進バーカー符号（W.S. Burdic, Radar Signal Analysis（レーダ信号解析）, Prentice Hall, １９６８年、１８９頁）は、主極大（Hauptmaximum）Ｎ（サブパルスまたは符号ビットの数）の次極大（Nebenmaximum）に関する理想的な圧縮比をフィルタ出力において得、それはＮ：１を意味し、Ｎ＝１３まで知られている。２進符号については、信号形式としてＮ：１の理想的なＡＫＦに達する、１３より大きいサブパルスの数Ｎに対してはどのような符号も存在しないことが証明されている。I.M. Ivanova, Yu, L. Ketkov,およびT.S. Yampol'skaya, On the existence of Barkercodes（バーカー符号の存在において）, Izvestiya Vyssheishkoly, Radiofizika 3 (１９６０年)、３９１〜３９６頁、ならびにR. TurynおよびJ.E. Storer: On binary Sequences. （２進シーケンスにおいて） Proc. Am. Math. Soc. (１９６１年)、３９４〜３９９頁を参照されたい。それは、１００と１０００との間における所望されるより大きなビット数Ｎの２進符号はＡＫＦにおいて常に干渉する次極大を示し、それは、誤検出または誤測定に至ることを意味する。これまで、干渉する次極大を、相関フィルタにおいて振幅において異なる符号評価によって抑制することが試みられてきた。この評価は２進値＋１および−１とは異なり、各ＡＫＦに対し非常に完全に計算され設定されなければならないものである。たとえばA new algorithm to optimize Barker code sidelobe suppression filters（バーカー符号サイドローブ抑制フィルタを最適化する新たなアルゴリズム）; Hua, Chen Xiao, Oksman, Juhani; IEEE Transactions on Aerospace and Electronic Systems（航空宇宙空間および電子システムにおけるＩＥＥＥトランザクション）(ISSN 0018-9251)、２６巻、１９９０年７月、６７３〜６７７頁を参照されたい。
【発明の開示】
【発明が解決しようとする課題】
【０００５】
ＰＮシーケンス、特にゴールドシーケンスは、同期データ伝送のために用いられ、なぜならば、周期的ＡＫＦ（ＰＡＫＦ）はＮ対−１の主対次極大比を呈するからである。しかしながら、非周期的ＡＫＦならびにＫＫＦおよびＰＫＫＦ（周期的相互相関関数）は２Ｎの平方根よりも少なくとも大きい大きな次極大を示す。これは外乱および漏話へと至り、それらの適用の制限を意味する。
【課題を解決するための手段】
【０００６】
発明の概要
この発明の目的は、記載される種類の回路構成のために２進符号変調スキームを向上させることである。
【０００７】
この発明のさらなる目的は、一方では、用いたい符号長がバーカー符号と比較して１０倍から１００倍大きく、他方では、最適なパルス圧縮を得るためにＡＫＦにおける次極大が消えて同時に０になるように、新しい２進信号符号化を関連付けられるデジタル受信フィルタとともに用いることにより、記載される種類の回路構成を向上させることである。
【０００８】
この目的は、この発明に従って、独立請求項１および５に従う回路構成および方法により達成される。好ましい実施例は従属項に記載される。
【０００９】
この発明に従う信号符号を、デジタル受信フィルタにおいて、それぞれの関連付けられる相補的符号を用いることにより用いることにより、次極大が０に相殺される。ある符号発生方法に従うと、ビット長Ｎはそれぞれ反復して倍にされ得、次極大は０であるという特徴が維持される。
【００１０】
さらに、この発明は、相補的符号のシーケンスの対のうちの一方のシーケンスのみが送られる必要があることを可能にする。この発明に従うと、その対のうちの第２のシーケンスが受信機においてまず発生されるよう手段が設けられる。自己相関付けられた受取られた符号と自己相関付けられた相補的符号との和が受信機によって発生され、その結果、極大高さ（maximaler Hohe）の主極大が、次極大の相殺とともにもたらされる。ここにおいて、対のうちの１つのシーケンスだけが送られる必要があり、一方、対のうちの他方のシーケンスは受信機において発生されるということは、特別な関連性のものである。
【００１１】
この発明の符号発生方法に従うと、ビット長Ｎはそれぞれ反復して倍にされ得、そこにおいては、次極大は０であるという特徴が維持される：以下の、相補的シーケンスの部分集合は、新規な完全な相関一致されるフィルタに対して適切である。しかしながら、それらの合成は、既に、Golay(1960)およびWelti(1959)により与えられており、適用に関しては、Farley(1985), Hussain(1988), Darnell(1988), Luke(1992)によりさらに追求され提案されたが、しかしながら、以下に記載されるように、フィルタ回路におけるこれらのシーケンスの決定的な対称特徴を用いてはいない：
一例は、２つの４チップバーカーシーケンスの相補的対である：
【００１２】
【数１】
2008537376.tif 000003
【００１３】
それぞれの相補的対を連続的に置くことにより、すべての長さ２ｎに対する任意の長い相補的対がもたらされる結果となる。図３は８チップの相補的シーケンスを一例として示すが、これは４チップバーカーシーケンスＡおよびＤ′（Ｄ′はＤの逆シーケンスを示す）からなる。４つの言及されたバーカーシーケンスまたはそれらの逆シーケンスの各々はこの発明に従って相補的対を伴う受信フィルタのための開始シーケンスとして選択され得る。
【００１４】
加えて、この発明は、受信フィルタにおいてパルス成形された信号を形成するための方法を提供する。第１に、信号符号が、形式＋１、＋１、またはそれから対称法
【００１５】
【数２】
2008537376.tif 000004
【００１６】
により導きだされる符号、または時間反転により発生される符号、または交互する数学的符号を伴う重み付けにより重複される符号、または直交成分の加算により発生される符号、または任意のサイクル状の偏移または同様の変換により変更される符号の搬送周波数信号とともに受取られるが、それは対称条件
【００１７】
【数３】
2008537376.tif 000005
【００１８】
をそれぞれ満たす。次いで、ある信号がその受取られた信号から分岐される。分岐された信号は、相補的符号を構築するため、交互する数学的符号で乗算される。その後、受取られた信号の第１の自己相関、および分岐された、受取られた信号の第２の自己相関（これは交互する数学的符号で乗算されている）が形成される。最後に、第１および第２の自己相関の結果が加算される。この方法はさらなる局面に拡大されるが、それらはこの開示から容易に認識されるものである。
【００１９】
加えて、ある伝送システムがこの発明に従って提供されるが、それはこの発明に従う方法を用いるものである。好ましくは、少なくとも２つの符号を伝送のために用い、次極大は、２つの符号の相互相関中は全く現れず、特に、用いられる２つの符号の相互相関は０
である。この伝送システムは、さらに、複素数値のシーケンスを用いることにより複数加入者システムとしても設計され得る。
【００２０】
この発明は、特に、同期、システム測定技術、およびそれと並んで符号化されたアパチャを伴う線形アンテナおよびマルチアンテナシステムの分野において用いられ得る。
【００２１】
この発明のさらなる局面および利点は図面の説明から明らかとなる。
【発明を実施するための最良の形態】
【００２２】
好ましい実施例の詳細な説明
図１ａは、受信フィルタ入力において８つのサブパルスを含む、２つのパルスレベル０°および１８０°を伴う搬送周波数数のない、この発明に従う信号符号１のうちの１つを示す。サブパルスフィルタおよびＤ／Ａ変換器２の後の受取られた信号の包絡線を、ここでは＋１または−１として示される正または負のデジタル値として、送られた信号符号のフェージングに依って、シフトレジスタ３に記憶し、さらに時間において各サブパルス持続期間τを切換える。その後、フィルタ部４により、たとえば、図２の８ビット符号のためのスキームに従って、自己相関和
【００２３】
【数４】
2008537376.tif 000006
【００２４】
が形成される。
この言及される信号符号は以下の内部対称特性を有し、それを、受信フィルタにおいて、次極大のない完全なパルス圧縮のために用いる：第１のサブパルス持続期間τの後、たとえば、第２の信号が図１ａのシフトレジスタ３の点５において分岐され、代替的にフィルタ部６において＋および−で重み付けされる。受取られた信号符号を交互する位相ジャンプの単純なシーケンスＢｉ＝＋、−、＋、−、＋、−、＋、−（またはデジタル値＋１、−１など、または、たとえば、ＱＰＳＫに対するＬ、０など）で重み付け６することにより、関連付けられる相補的符号Ｘiが、上記選択された最適な８ビット符号の例について送られた元の符号（図３のＸi参照）に比して、負の次極大値そのものとともに形成される。図１ａの、＋、−シーケンスを伴う受取られた信号符号の重み付け６は図１に示されるように並列回路においてもなされ得る。
【００２５】
＋１、−１重み付けにより発生されるこの相補的符号に対するシフトレジスタ７およびフィルタ部８により形成されるＡＫＦは図２の元の符号のＡＫＦに関し相補的次極大とともに図４に示される有利な結果を有する。
【００２６】
図１ａに示される、デジタルフィルタの出力の前にあるフィルタ部９は単純な和であり、つまり：
フィルタ出力＝
ＡＫＦ１＝ＡＫＦ（記憶される元の符号と相関付けられる受取られる符号）
＋
ＡＫＦ２＝ＡＫＦ（＋１，−１の連続により乗算される受取られる符号＝記憶される相補的符号と相関付けられる相補的符号）。
【００２７】
８ビット符号に対する結果は図５に示され、それは次極大なしで最適なパルス成形された受信信号をもたらす結果となる。
【００２８】
双方の符号、つまり８ビット符号（符号１＝Ａ）およびここに一例として記載される（＋１，−１）重み付けからもたらされる結果となるその相補的符号（符号２＝Ｂ）はそれぞれ最適な信号符号として用いられ得る。加えて、第３および第４の最適な８ビット符号が、第１および第２の符号の符号シーケンスを反転した時間順序で送ることにより結果としてもたらされる。したがって、第３および第４の最適な８ビット符号は以下のように読める：
−１，＋１，−１，−１，−１，＋１，＋１，＋１，（符号３＝Ｃ）
＋１，＋１，＋１，−１，＋１，＋１，−１，＋１，（符号４＝Ｄ）
サブパルスのそれぞれの倍にされた長さ１６、３２、６４、１２８、２５６、５１２、１０２４…を伴う最適な信号符号は、反復的符号発生方法で、相補的符号のための対称法を用いることにより、および以下の態様において、それとともに、倍にされた長さに続くことにより、次の、より下のサブパルスカウントを伴う符号から生じる：
【００２９】
【数５】
2008537376.tif 000007
【００３０】
上記のアルゴリズムで、最適な受信フィルタが，長さＮ＝２または４で開始する長さＮ−１のそれぞれの最適な符号から任意の長さ２Nに構築され得る。有効帯域幅は、Ｎ個のサブパルスを伴う最適な相関符号に対しＮ倍に拡大される（Burdic,１８４頁）。したがって、パルス測定の分解能は因数Ｎにより改善され得る。回路構成の実施例は、再び、記載される例におけるように選択され得、対応するより高いビット数Ｎを取るだけである。
【００３１】
これまでの２進信号符号を用いる際におけるさらなる困難は、２つの異なる信号符号を用いる際に、相互相関が干渉する次極大を発生させるということである。逆に、２つの言及された符号１および４（Ａ、Ｄ）は符号化の集合を記載するが、その相互相関関数は次極大なしでまさに０である。これにより、この発明のさらなる実施例において、各々図１ａに従って対応する２つの受信フィルタを伴うビット長Ｎの２つの異なる信号符号の最適な分離された検出の可能性が与えられる。
【００３２】
２つのシーケンスＡおよびＤは直交シーケンスの集合を表現するのみならず、それらの相互相関関数も次極大を伴うことなくまさに０である。これは、さらに、直接的な負のシーケンスは負の主極大をフィルタ出力において送るという特別な特徴を伴う２つの逆シーケンスＡ′、Ｄ′にも当てはまるが、これは、包絡線曲線検出器の後において数学的符号を得るための差分符号化の前提のもとにおける正のしきい値設定により誤検出として抑制され得る。包絡線曲線検出器の後の数学的符号が維持されるのは、０からＬまたはその逆の遷移のみが差分符号化（差分コヒーレントＰＳＫ、省略されたＤＰＳＫ）において送信機において符号化される場合のみである。復号が受信機において必要であり、それによってこの変化を評価する。これは、適用を、長さＮのそれぞれの４つの異なるシーケンスに対する符号多重化方法（ＣＤＭＡ）として開く。
【００３３】
付加的な、完全な、相殺する相互相関を伴う、異なる直交相補的シーケンスの数−完全に相関付けられないシーケンスを意味する−は、符号多重化方法のため、直交成分（ＩチャネルおよびＱチャネル）を用いることによりベースバンド内においてＤＰＳＫにおける複素数値を伴うシーケンスに進むことにより拡大され得、完全な特性は維持される。
【００３４】
４つの異なる８ビットシーケンスは、たとえば、
【００３５】
【数６】
2008537376.tif 000008
【００３６】
それぞれにより乗算されるかまたは異なるように表現され、線形位相が加えられる。このようにして、既に８つの異なるシーケンスを得得る：
【００３７】
【表１】
2008537376.tif 000009
【００３８】
負の主極大を抑制する、２進シーケンスの場合における受信フィルタにおける判断部の代わりに、０とは異なる位相を伴う各主極大を複数位相の例において抑制し、偏移された位相を伴わない主極大が現れる、フィルタバンクのうちのそのフィルタのみが、主極大を検出された信号として通過させる。その結果、さらにより異なる直交シーケンスさえもが、複素信号空間において、たとえば、位相角のそれぞれのさらなる分割により発生され得、たとえば、すでに
【００３９】
【数７】
2008537376.tif 000010
【００４０】
ステップでＣＤＭＡシステムを１６の加入者に対し得ることができ、
【００４１】
【数８】
2008537376.tif 000011
【００４２】
位相差で、あるシステムが３２の加入者に対して、または６４のＰＳＫシステムで１２８の加入者に対し可能であり、それらは「束ねられた」態様で同じ搬送周波数で送信され、再び、信号利用者において、それと全く相関付けられないシーケンスの完全な相関受信により受取られると「解かれる」。
【００４３】
言及された変調器／復調器回路は現在用いられているデジタル信号プロセッサ（ＤＳＰ）によって容易に実現され得る。
【図面の簡単な説明】
【００４４】
【図１】この発明に従う回路構成を示す。
【図１ａ】この発明に従う回路構成を示す。
【図２】この発明に従う自己相関の和形成を示す。
【図３】この発明に従う相補的符号の形成を示す。
【図４】この発明に従う自己相関のさらなる和形成を示す。
【図５】この発明に従う自己相関和の加算を示す。
【図１】
2008537376.tif 000018
【図１ａ】
2008537376.tif 000019
【図２】
2008537376.tif 000020
【図３】
2008537376.tif 000021
【図４】
2008537376.tif 000022
【図５】
2008537376.tif 000023
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
サブパルスのための最適なフィルタを備える回路構成であって、Ｄ／Ａ変換器（２）と、第１のシフトレジスタ（３）と、第１の下流自己相関フィルタ（４）とを含み、前記回路構成は、＋１，＋１，＋１，−１，−１，−１，＋１，−１（１）という形式、またはそれから対称法
【数１】
2008537376.tif 000024
により導き出される１つの符号(Ｎはサブパルスの数を示し、ｉは０〜Ｎ−１の整数を通る)、または時間反転により発生される符号、または交互する数学的符号を伴う重み付けによる重複される符号、または前記符号を連続して置くことにより重複される符号の搬送周波数伝送信号のための信号符号の使用に対して適合され、それらはそれぞれ対称条件
【数２】
2008537376.tif 000025
を満たし、
前記回路構成は信号を分岐し、それは、受信フィルタにおいて、受取られた信号符号（１）の相補的符号を形成するために、最適なフィルタを後の点（５）において、交互する数学的符号（６）で乗算され、その信号は第２のシフトレジスタ（７）および第２の下流自己相関フィルタ（８）に入り；
フィルタ部（９）における前記第２の自己相関フィルタ（８）および前記第１の下流自己相関フィルタ（４）の出力を加算する、回路構成。
【請求項２】
サブパルスのための最適なフィルタを備える回路構成であって、Ｄ／Ａ変換器（２）と、第１のシフトレジスタ（３）と、第１の下流自己相関フィルタ（４）とを含み、前記回路構成は、＋１，＋１という形式、またはそれから対称法
【数３】
2008537376.tif 000026
により導き出される１つの符号(Ｎはサブパルスの数を示し、ｉは０〜Ｎ−１の整数を通る)、または時間反転により発生される符号、または交互する数学的符号を伴う重み付けによる重複される符号、または前記符号を連続して置くことにより重複される符号、または直交成分を加算することにより発生される符号の搬送周波数伝送信号のための信号符号の使用に対して適合され、それらはそれぞれ対称条件
【数４】
2008537376.tif 000027
を満たし、
前記回路構成は信号を分岐し、それは、受信フィルタにおいて、受取られた信号符号（１）の相補的符号を形成するために、最適なフィルタを後の点（５）において、交互する数学的符号（６）で乗算され、その信号は、第２のシフトレジスタ（７）および第２の下流自己相関フィルタ（８）に入り；
フィルタ部（９）における前記第２の自己相関フィルタ（８）および前記第１の下流自己相関フィルタ（４）の出力を加算する、回路構成。
【請求項３】
前記回路構成は、受取られた元の符号（１）の相補的符号が受信フィルタにおいて交互する数学的符号で重み付けされることにより形成される態様で適合され、前記形成は、受取られた元の符号（１）および受信フィルタにおいて構築された相補的符号の自己相関関数の和によって主極大がフィルタ出力において極大高さで築かれ、次極大はそれら自身を反対のフェージングまたは数学的符号の結果同じ和によって相殺する態様で行なわれる、請求項１または２に記載の回路構成。
【請求項４】
請求項１または２に従う対称法により導き出される異なる符号に対して適合される相関フィルタであって、先行する請求項のうちの１つに従う回路構成が並列して受信フィルタとして異なる符号（１）の各々ごとに接続され、請求項１または２に従って構築された異なる信号符号（１）の相互相関関数はフィルタ出力において相殺し、相互相関フィルタはそれぞれの符号（１）を通過させるに過ぎず、それはフィルタにセットされる、相関フィルタ。
【請求項５】
受信フィルタにおいてパルス成形される信号を形成するための方法であって、
＋１，＋１という形式、またはそれから対称法
【数５】
2008537376.tif 000028
により導き出される符号(Ｎはサブパルスの数を示し、ｉは０〜Ｎ−１の整数を通る)、または時間反転により発生される符号、または交互する数学的符号を伴う重み付けにより重複される符号、または上述の符号を連続して置くことにより重複される符号、または直交成分を加算することにより発生される符号の搬送周波数信号を伴う信号符号を受取るステップを含み、それはそれぞれ対称条件
【数６】
2008537376.tif 000029
を満たし、前記方法はさらに、
受取られた信号を分岐するステップと、
分岐された、受取られた信号を、相補的符号を形成するための交互する数学的符号で乗算するステップと、
受取られた信号の第１の自己相関を形成するステップと、
交互する数学的符号で乗算された、分岐された、受取られた信号の第１の自己相関を形成するステップと、
第１および第２の自己相関の結果を加算するステップとを含む、方法。
【請求項６】
受信フィルタにおいて形成される、第１の自己相関と第２の自己相関との和により、主極大がフィルタ出力において極大高さとともに生ずる結果となり、次極大は反対のフェージングまたは数学的符号の結果同じ和により互いを相殺する、請求項５に記載の方法。
【請求項７】
請求項５または６に従う方法を用いる伝送システム。
【請求項８】
前記伝送システムは、請求項５の指示に従って形成される、この発明に従って形成される２つの符号が伝送のために用いられるよう適合され、次極大は前記２つの符号の相互相関においては現れない、請求項７に記載の伝送システム。
【請求項９】
前記２つの符号の相互相関は０である、請求項８に記載の伝送システム。
【請求項１０】
前記伝送システムは、この発明に従って請求項５に従って形成されるシーケンスから形成される、複素数値を伴うシーケンスを用いることにより複数加入者システムとして用いられることに対して適合される、請求項７〜９の１つに記載の伝送システム。
【国際調査報告】
2008537376.tif 000030
2008537376.tif 000031
2008537376.tif 000032
2008537376.tif 000033